(57)【要約】      （修正有）【課題】包装体から貼付剤を容易に取り出すことができる貼付剤の包装構造を提供する。【解決手段】貼付剤の包装構造１００ａは、積層された第１及び第２の基材１２０、１３０を含み、貼付剤を収容する。第１及び第２の基材１２０、１３０は、第１〜第４の辺１２１〜１２４、１３１〜１３４を有する。第１及び第２の基材１２０、１３０の少なくとも一方は、第１〜第３の開封部１２５〜１２７、１３５〜１３７を有する。第１〜第３の開封部１２５〜１２７（１３５〜１３７）は、封止部１２０ｃ（１３０ｃ）の内周縁１２０ｃ１、１２０ｃ２、１２０ｃ４（１３０ｃ１、１３０ｃ２、１３０ｃ４）に沿って開封するように導くものである。【選択図】図２
2013022060.tif 000002
【特許請求の範囲】
【請求項１】
貼付剤と、
積層された第１及び第２の基材を含むと共に、前記貼付剤を内部に収容し、前記内部が密封された包装体とを備え、
前記第１及び第２の基材のそれぞれは、第１の辺と、前記第１の辺と接続され、かつ前記第１の辺と交差する第２の辺と、前記第２の辺と接続され、かつ前記第２の辺と交差する第３の辺と、前記第１及び第３の辺と接続され、かつ前記第１及び第３の辺と交差する第４の辺とを有し、
前記第１及び第２の基材のそれぞれは、前記第１及び第２の基材を接合すると共に、前記内部を密封するように、前記第１〜第４の辺に沿って形成された封止部をさらに有し、
前記第１及び第２の基材の少なくとも一方は、第１の開封部と、第２の開封部と、第３の開封部とを有し、
前記第１の開封部は、前記封止部の内周側において、前記第１の辺に沿って形成された前記封止部の内周縁に沿って、前記第２の辺から前記第４の辺に向かって開封するように導くものであり、
前記第２の開封部は、前記封止部の内周側において、前記第２の辺に沿って形成された前記封止部の内周縁に沿って、前記第３の辺から前記第１の辺に向かって開封するように導くものであり、
前記第３の開封部は、前記封止部の内周側において、前記第４の辺に沿って形成された前記封止部の内周縁に沿って、前記第３の辺から前記第１の辺に向かって開封するか、
または前記第３の辺に沿って形成された前記封止部の内周縁に沿って、前記第４の辺から前記第２の辺に向かって開封するように導くものである、貼付剤の包装構造。
【請求項２】
前記第１〜第３の開封部は、ノッチを含む、請求項１に記載の貼付剤の包装構造。
【請求項３】
前記第１〜第３の開封部は、開封する順序及び開封する方向の少なくとも一方を表示する表示部を含む、請求項１または２に記載の貼付剤の包装構造。
【請求項４】
前記第１〜第３の開封部は、弱め線を含む、請求項１または２に記載の貼付剤の包装構造。
【請求項５】
前記貼付剤は、支持体と、前記支持体の少なくとも一方の面に形成され、かつ薬物を含有する粘着剤層とを有する、請求項１〜４のいずれか１項に記載の貼付剤の包装構造。
【発明の詳細な説明】
【技術分野】
【０００１】
本発明は、貼付剤の包装構造に関し、より特定的には、貼付剤と、この貼付剤を内部に収容する包装体とを備えた貼付剤の包装構造に関する。
【背景技術】
【０００２】
貼付剤は、皮膚に貼付して皮膚面を保護したり、薬物を経皮投与したりするために用いられるため、粘着剤層を含んでいる。貼付剤は、薬物の安定性や長期の保管が望まれることから、貼付剤を包装する包装体は重要である。
【０００３】
このような包装体として、例えば特開２００８−２１３９２３号公報（特許文献１）には、経皮吸収剤の包装袋が開示されている。特許文献１に開示の包装袋は、合成樹脂フィルムを基材とする二層以上の積層構造をなす包装材により構成され、経皮吸収剤を収容した状態で四周の少なくとも三辺で表裏がヒートシールされて密閉されてなる。また、特許文献１の包装体は、隣接する縦横２辺の各シール部と収容された経皮吸収剤との間の領域において、各シール部の内縁に沿って、それぞれミシン目状の切目列による開封助成手段が縦横の交差方向に形成されている。
【先行技術文献】
【特許文献】
【０００４】
【特許文献１】特開２００８−２１３９２３号公報
【発明の概要】
【発明が解決しようとする課題】
【０００５】
しかしながら、上記特許文献１の経皮吸収剤の包装袋において、開封助成手段は、隣接する縦横２辺のシール部に沿って形成されている。上記特許文献１の包装袋を開封すると、開封助成手段が形成された縦横２辺を開封することになる。経皮吸収剤は粘着剤層を含んでいるので、経皮吸収剤が包装袋に付着している場合がある。このため、上記特許文献１では、付着する場所によっては、包装袋から経皮吸収剤を取り出しにくい場合がある。
【０００６】
本発明は、上記問題点に鑑み、包装体から貼付剤を容易に取り出すことができる貼付剤の包装構造を提供することを課題とする。
【課題を解決するための手段】
【０００７】
本発明の貼付剤の包装構造は、貼付剤と、積層された第１及び第２の基材を含むと共に、貼付剤を内部に収容し、内部が密封された包装体とを備え、第１及び第２の基材のそれぞれは、第１の辺と、第１の辺と接続され、かつ第１の辺と交差する第２の辺と、第２の辺と接続され、かつ第２の辺と交差する第３の辺と、第１及び第３の辺と接続され、かつ第１及び第３の辺と交差する第４の辺とを有し、第１及び第２の基材のそれぞれは、第１及び第２の基材を接合すると共に、内部を密封するように、第１〜第４の辺に沿って形成された封止部をさらに有し、第１及び第２の基材の少なくとも一方は、第１の開封部と、第２の開封部と、第３の開封部とを有し、第１の開封部は、封止部の内周側において、第１の辺に沿って形成された封止部の内周縁に沿って、第２の辺から第４の辺に向かって開封するように導くものであり、第２の開封部は、封止部の内周側において、第２の辺に沿って形成された封止部の内周縁に沿って、第３の辺から第１の辺に向かって開封するように導くものであり、第３の開封部は、封止部の内周側において、第４の辺に沿って形成された封止部の内周縁に沿って、第３の辺から第１の辺に向かって開封するか、または第３の辺に沿って形成された封止部の内周縁に沿って、第４の辺から第２の辺に向かって開封するように導くものである。
【０００８】
本発明の貼付剤の包装構造によれば、第１の開封部により第１の辺に沿って開封可能であり、第２の開封部により第２の辺に沿って開封可能であり、第３の開封部により第３の辺または第４の辺に沿って開封可能である。このため、貼付剤を取り出す際に、第１及び第２の基材において、４つの辺のうち、少なくとも３つの辺に沿った方向に開封が可能である。したがって、仮に第１及び第２の基材の少なくとも一方に貼付剤が付着している場合であっても、第１または第２の基材から貼付剤を容易に分離できるので、包装体から貼付剤を容易に取り出すことができる。
【０００９】
上記貼付剤の包装構造において好ましくは、第１〜第３の開封部は、ノッチを含む。
【００１０】
これにより、ノッチの先端に向けた方向に包装体を容易に開封することができるので、包装体から貼付剤をより容易に取り出すことができる。
【００１１】
上記貼付剤の包装構造において好ましくは、第１〜第３の開封部は、開封する順序及び開封する方向の少なくとも一方を表示する表示部を含む。
【００１２】
表示部にしたがって第１〜第３の開封部を開封することにより、少なくとも３つの辺に沿った方向に容易に開封することができる。したがって、包装体から貼付剤をより容易に取り出すことができる。
【００１３】
上記貼付剤の包装構造において好ましくは、第１〜第３の開封部は、弱め線を含む。
【００１４】
弱め線にしたがって開封することにより、３つの辺に沿った方向に容易に開封することができる。したがって、包装体から貼付剤をより容易に取り出すことができる。
【００１５】
上記貼付剤の包装構造において好ましくは、貼付剤は、支持体と、支持体の少なくとも一方の面に形成され、かつ薬物を含有する粘着剤層とを有する。
【００１６】
これにより、貼付剤が薬物を含有する粘着剤層を有する場合であっても、未使用時には貼付剤を密封できるとともに、開封時には包装体から貼付剤を容易に取り出すことができる。
【発明の効果】
【００１７】
以上説明したように、本発明によれば、包装体から貼付剤を容易に取り出すことができる貼付剤の包装構造を提供することができる。
【図面の簡単な説明】
【００１８】
【図１】本発明の実施の形態１における貼付剤の包装構造を概略的に示す断面図であり、図２におけるＩ−Ｉ線に沿った図である。
【図２】本発明の実施の形態１における貼付剤の包装構造を概略的に示す平面図である。
【図３】本発明の実施の形態１における貼付剤の包装構造を概略的に示す断面図であり、図２におけるＩＩＩ−ＩＩＩ線に沿った図である。
【図４】本発明の実施の形態１において包装構造から貼付剤を取り出すときの一工程を概略的に示す平面図である。
【図５】本発明の実施の形態１において包装構造から貼付剤を取り出すときの一工程を概略的に示す平面図である。
【図６】本発明の実施の形態１において包装構造から貼付剤を取り出すときの一工程を概略的に示す平面図である。
【図７】本発明の実施の形態２における貼付剤の包装構造を概略的に示す平面図である。
【図８】本発明の実施の形態３における貼付剤の包装構造を概略的に示す平面図である。
【図９】本発明の実施の形態４における貼付剤の包装構造を概略的に示す平面図である。
【図１０】本発明の実施の形態５における貼付剤の包装構造を概略的に示す平面図である。
【図１１】本発明の実施の形態６における貼付剤の包装構造を概略的に示す平面図である。
【発明を実施するための形態】
【００１９】
以下、本発明の好ましい実施態様を示すが、それらの詳細な説明および特定の例は、例示の目的のみのためのものであることが意図されており、本発明の範囲を限定しない。以下の好ましい実施態様の説明は、単に例示的な性質のものであり、決して本発明、その応用、または用途を限定することが意図されるわけではない。
また、図面に基づいて本発明の実施の形態を説明するが、以下の図面において同一または相当する部分には同一の参照符号を付しその説明は繰り返さない。
【００２０】
（実施の形態１）
図１〜図３を参照して、本発明の一実施の形態における貼付剤の包装構造１００ａについて説明する。貼付剤の包装構造１００ａは、内部に貼付剤１１０を収容する包装体である。
【００２１】
図１〜図３に示すように、本実施の形態における貼付剤の包装構造１００ａは、貼付剤１１０と、積層された第１の基材１２０及び第２の基材１３０を含み、かつ貼付剤１１０を内部に収容し、この内部（貼付剤１１０の周囲）が密封された包装体とを備えている。つまり、貼付剤１１０は、第１の基材１２０と第２の基材１３０との間の密封された空間に収容されている。
【００２２】
まず、主に図１を参照して、貼付剤１１０について説明する。貼付剤１１０は、支持体１１１と、支持体１１１の少なくとも一方の面上に形成された粘着剤層１１２と、粘着剤層１１２上に形成された剥離ライナー１１３とを含んでいる。貼付剤１１０の平面形状は、特に限定されないが、例えば矩形であり、頂点は湾曲していてもよく（Ｒが設けられていてもよく）、角張らせていてもよい。
【００２３】
支持体１１１は特に限定されないが、プラスチックフィルム、不織布、紙、織布、編布、金属箔、またはこれらを積層したものが採用可能であり、さらに金属蒸着を施したものを採用することも可能である。
【００２４】
プラスチックフィルムとしては、特に限定されず、例えば、ポリ塩化ビニル単体、若しくはエチレン、プロピレン、酢酸ビニル、アクリル酸、アクリル酸エステル、メタクリル酸、メタクリル酸エステル、アクリロニトリル、スチレン、塩化ビニリデンなどのモノマーと、その他モノマーとの共重合体、ポリエチレン、ポリプロピレン、エチレン−酢酸ビニル共重合体などのオレフィン系ポリマー、ポリエチレンテレフタレート（ＰＥＴ）、ポリエーテルポリエステルなどのポリエステル系ポリマー、ポリエーテルポリアミドブロックポリマーなどのポリアミド系ポリマーなどからなる各種フィルムが挙げられる。
【００２５】
支持体１１１の厚さは、例えば５μｍ以上５００μｍ以下であり、好ましくは１０μｍ以上２００μｍ以下である。
【００２６】
粘着剤層１１２は、常温（例えば２５℃）で粘着性を示す粘着面１１２ａを有し、常温（例えば２５℃）で粘着性を有する粘着剤によって層状に形成されている。
【００２７】
粘着剤は特に限定されず、例えば、アクリル系重合体からなるアクリル系粘着剤；スチレン−ジエン−スチレンブロック共重合体（例えば、スチレン−イソプレン−スチレンブロック共重合体、スチレン−ブタジエン−スチレンブロック共重合体）、ポリイソプレン、ポリイソブチレン、ポリブタジエン等を含むゴム系粘着剤；シリコーンゴム、ジメチルシロキサンベース、ジフェニルシロキサンベース等を含むシリコーン系粘着剤；ポリビニルメチルエーテル、ポリビニルエチルエーテル、ポリビニルイソブチルエーテル等のビニルエーテル系粘着剤；酢酸ビニル−エチレン共重合体等のビニルエステル系粘着剤；ジメチルテレフタレート、ジメチルイソフタレート、ジメチルフタレート等のカルボン酸成分とエチレングリコール等の多価アルコール成分からなるポリエステル系粘着剤等が挙げられる。
【００２８】
粘着剤層１１２がゴム系粘着剤を含む場合、粘着剤層１１２には、適度な粘着性を付与するために、例えば、ロジン系樹脂、ポリテルペン樹脂、クマロン−インデン樹脂、石油系樹脂、テルペン−フェノール樹脂、キシレン樹脂等の粘着付与剤が配合されていてもよく、これらは１種を用いても、２種以上を混合して用いてもよい。前記石油系樹脂としては、脂肪族系（Ｃ５系）石油樹脂、芳香族系（Ｃ９系）石油樹脂、共重合体系（Ｃ５−Ｃ９系）石油樹脂、及び芳香族系（Ｃ９系）石油樹脂を部分水素添加または完全水素添加することによって得られる脂環族飽和炭化水素樹脂等が例示される。
【００２９】
また、粘着剤層１１２にさらに種々の有機液状成分を加えてもよい。粘着剤層１１２に含有させる有機液状成分は、特に限定されないが、経皮吸収促進効果を有するものが好ましい。このような有機液状成分としては、例えばエチレングリコール、ジエチレングリコール、プロピレングリコール、トリエチレングリコール、ポリエチレングリコール、ポリプロピレングリコール等のグリコール類、オリーブ油、ヒマシ油、スクアラン、ラノリン等の油脂類、流動パラフィンのような炭化水素類、各種界面活性剤、エトキシ化ステアリルアルコール、オレイン酸モノグリセリド、カプリル酸モノグリセリド、ラウリル酸モノグリセリド等のグリセリンモノエステル類、グリセリンジエステル類、グリセリントリエステル類またはそれらの混合物、ラウリル酸エチル、ミリスチン酸イソプロピル、ミリスチン酸イソトリデシル、パルミチン酸オクチル、パルミチン酸イソプロピル、オレイン酸エチル、アジピン酸ジイソプロピル等の脂肪酸アルキルエステル類、オレイン酸、カプリル酸等の高級脂肪酸類、１−ドデカノール、１−テトラデカノール、１−ヘキサデカノール等の直鎖脂肪族アルコール、２−ヘキシル−１−デカノール、２−オクチル−１−ドデカノール、２−ヘキシル−１−テトラデカノール等の分岐鎖脂肪族アルコールといった長鎖脂肪族アルコール、その他、Ｎ−メチルピロリドン、１，３−ブタンジオール等が挙げられる。
【００３０】
粘着剤層１１２が有機液状成分を含む場合には、粘着剤層１１２における有機液状成分の含有量は、粘着剤層１１２の総質量に基づき、５質量％以上７０質量％以下とすることが好ましく、１０質量％以上６５質量％以下とすることがより好ましく、１５質量％以上６０質量％以下とすることが最も好ましい。また、粘着剤層１１２の厚みは、２０μｍ以上３００μｍ以下であることが好ましく、３０μｍ以上２５０μｍ以下であることがより好ましく、５０μｍ以上２００μｍ以下であることが最も好ましい。粘着剤層１１２が有機液状成分を含む場合には、使用前の貼付剤１１０の周縁部や剥離ライナー１１３に形成された切れ目から有機液状成分等がはみ出すおそれがある。しかし、粘着剤層１１２における有機液状成分の含有量、及び、粘着剤層１１２の厚みを上記範囲内にすることにより、使用前の貼付剤１１０の周縁部や剥離ライナー１１３に形成された切れ目から有機液状成分等がはみ出すことを抑制できる。
【００３１】
なお、粘着剤層１１２は、皮膚貼付時におけるソフト感を付与できる観点からアクリル系粘着剤またはゴム系粘着剤であることが好ましく、容易に架橋でき多量の液状成分を粘着剤層に保持可能である観点からアクリル系粘着剤であることが好ましい。
好ましいアクリル系粘着剤としては、（メタ）アクリル酸Ｃ2〜18アルキルエステルを重合成分として含む重合体を主成分とするアクリル酸エステル系粘着剤が挙げられる。
好ましいゴム系粘着剤としては、ポリイソブチレン、ポリイソプレン及びスチレン−ジエン−スチレン共重合体から選ばれる少なくとも一種を主成分とするゴム系粘着剤が挙げられる。
【００３２】
粘着剤層１１２は、薬物をさらに含有してもよい。ここで、薬物を含有する粘着剤層を備える貼付剤を特に貼付製剤と称することがあるが、本明細書における貼付剤という用語は、貼付製剤を含む意図で用いている。つまり、本発明の貼付剤は、薬物を含有する粘着剤層を備える貼付剤と、薬物を含有しない粘着剤層を備える貼付剤とを含む。
【００３３】
上記薬物は特に限定されず、例えば、コルチコステロイド類、鎮痛消炎剤、催眠鎮静剤、精神安定剤、抗不整脈剤、心不全治療剤、抗高血圧剤、利尿剤、抗生物質、麻酔剤、抗菌剤、抗真菌剤、ビタミン剤、血管拡張剤、抗ヒスタミン剤、鎮咳剤、性ホルモン、抗うつ剤、脳循環改善剤、制吐剤、抗腫瘍剤、生体医薬などの種類の薬物であって、経皮吸収可能な薬物が使用でき、これらの薬物は必要に応じて２種類以上併用することができる。このような薬物としては、例えば、ビソプロロールまたはその薬学的に許容される塩を用いることができる。薬学的に許容される塩としては、例えば、フマル酸塩を用いることができる。
【００３４】
これらの薬物の含有量は、薬物種や投与目的に応じて適宜設定することができるが、通常、粘着剤層１１２中に０．１重量％以上４０重量％以下、好ましくは０．５重量％以上３０重量％以下含有させる。含有量が０．１重量％以上の場合には、治療に有効な量の薬物放出が期待でき、０．５重量％以上の場合には、治療により有効である。４０重量％以下の場合には、治療効果を発現できると共に経済的に有利であり、３０重量％以下の場合には、治療効果をより高めることができると共に経済的により有利である。
【００３５】
剥離ライナー１１３は、粘着剤層１１２の粘着面１１２ａを覆っている。剥離ライナー１１３は、貼付剤１１０を使用するまで保護するためのものである。
【００３６】
剥離ライナー１１３は、特に限定されないが、例えば、ＰＥＴフィルム、ＰＥＴフィルム以外のポリエステルフィルム、ポリイミドフィルム、ポリプロピレンフィルム、ポリエチレンフィルム、ポリカーボネートフィルムなどのプラスチックフィルム；該プラスチックフィルムに金属を蒸着させた金属蒸着プラスチックフィルム；和紙、洋紙、クラフト紙、グラシン紙、上質紙などの紙類；不織布、布帛などの繊維質材料；金属箔が挙げられる。
また、プラスチックフィルムと紙類との積層シート、プラスチックフィルムと金属箔との積層シートなども剥離ライナー１１３の材料として採用が可能である。
工業製品としての種類が多く、貼付剤に用いるのに適切な厚さのものが数多く市販されており、求める品質のものを選択しやすい観点から、剥離ライナー１１３の材料として、ポリエステルフィルムが好ましく、ポリエチレンテレフタレートフィルムがより好ましい。
【００３７】
剥離ライナー１１３には、粘着剤層１１２から容易に剥がすために、切れ目が形成されていてもよく、粘着面１１２ａに接する側に離型処理が施されて軽剥離面が形成されていてもよい。
【００３８】
次に、上述した貼付剤１１０を内部に収容する包装体について説明する。包装体は、図１〜図３に示すように、第１の基材１２０と、第１の基材１２０上に配置された第２の基材１３０とを含んでいる。第１の基材１２０と第２の基材１３０とは、外周側で接合されている。本実施の形態では、第１の基材１２０と第２の基材１３０とは、外周縁を含む領域で（封止部１２０ｃ、１３０ｃにより）接合されている。
【００３９】
本実施の形態における第１の基材１２０及び第２の基材１３０は、略同一形状であり、外周縁が互いに重なり合うように積層されている。なお、第１の基材１２０と、第２の基材１３０とは、異なる形状であってもよい。
【００４０】
図１に示すように、第１の基材１２０は、主面１２０ａと、この主面１２０ａと反対側の裏面１２０ｂと、第２の基材１３０と接合された封止部１２０ｃとを有している。第２の基材１３０は、主面１３０ａと、この主面１３０ａと反対側の裏面１３０ｂと、第１の基材１２０と接合された封止部１３０ｃとを有している。
【００４１】
図２に示すように、第１の基材１２０の主面１２０ａ及び第２の基材１３０の主面１３０ａは、平面形状が矩形（本実施の形態では正方形）である。つまり、第１の基材１２０の主面１２０ａ及び第２の基材１３０の主面１３０ａのそれぞれは、第１の辺１２１、１３１と、第１の辺１２１、１３１と接続され、かつ第１の辺１２１、１３１と交差する第２の辺１２２、１３２と、第２の辺１２２、１３２と接続され、かつ第２の辺１２２、１３２と交差する第３の辺１２３、１３３と、第１の辺１２１、１３１及び第３の辺１２３、１３３と接続され、かつ第１の辺１２１、１３１及び第３の辺１２３、１３３と交差する第４の辺１２４、１３４とを有している。本実施の形態における第１の基材１２０の主面１２０ａ及び第２の基材１３０の主面１３０ａのそれぞれは、第１の辺１２１、１３１と、第１の辺１２１、１３１と連続し、かつ第１の辺１２１、１３１と直交する第２の辺１２２、１３２と、第２の辺１２２、１３２と連続し、かつ第２の辺１２２、１３２と直交する第３の辺１２３、１３３と、第１の辺１２１、１３１及び第３の辺１２３、１３３と連続し、かつ第１の辺１２１、１３１及び第３の辺１２３、１３３と直交する第４の辺１２４、１３４とを有している。
【００４２】
なお、主面１２０ａ、１３０ａの各頂点は湾曲していてもよく（Ｒが設けられていてもよく）、角張らせていてもよい。第１〜第４の辺１２１〜１２４、１３１〜１３４は、主面１２０ａ、１３０ａの外周縁である。
【００４３】
封止部１２０ｃ、１３０ｃは、第１〜第４の辺１２１〜１２４、１３１〜１３４に沿って形成されている。なお、封止部１２０ｃ、１３０ｃは、第１〜第４の辺１２１〜１２４、１３１〜１３４を含んでいてもよく、第１〜第４の辺１２１〜１２４、１３１〜１３４を含んでいなくてもよい。本実施の形態の封止部１２０ｃ、１３０ｃは、第１〜第４の辺１２１〜１２４、１３１〜１３４を含んでおり、その外周縁が第１〜第４の辺１２１〜１２４、１３１〜１３４であり、内周縁１２０ｃ１〜１２０ｃ４、１３０ｃ１〜１３０ｃ４は第１〜第４の辺１２１〜１２４、１３１〜１３４にそれぞれ平行である。つまり、本実施の形態の封止部１２０ｃ、１３０ｃの内周縁１２０ｃ１〜１２０ｃ４、１３０ｃ１〜１３０ｃ４は、平面形状が矩形である。
【００４４】
この封止部１２０ｃ、１３０ｃに囲まれた内部の空間は密封され、貼付剤１１０が収容される。このため、貼付剤１１０は、封止部１２０ｃ、１３０ｃにより密閉されるので、貼付剤１１０の粘着剤層１１２が薬物を含んでいる場合には、薬物を安定かつ長期に保管をすることができる。
【００４５】
第１及び第２の基材１２０、１３０を接合する方法（封止部１２０ｃ、１３０ｃの形成方法）は特に限定されないが、ヒートシールにより接合されることが好ましい。この場合の封止部１２０ｃ、１３０ｃは、シール部である。なお、第１及び第２の基材１２０、１３０は、例えば、接着剤などの接続部材を用いて接続されてもよい。この場合の封止部１２０ｃ、１３０ｃは、接続部材を含む。
【００４６】
第１及び第２の基材１２０、１３０の少なくとも一方は、第２の辺１２２、１３２に形成されたノッチ１２５ａ、１３５ａを含む第１の開封部１２５、１３５と、第３の辺１２３、１３３に形成されたノッチ１２６ａ、１３６ａを含む第２の開封部１２６、１３６と、同じく第３の辺１２３、１３３に形成されたノッチ１２７ａ、１３７ａを含む第３の開封部１２７、１３７とを有している。本実施の形態では、第１及び第２の基材１２０、１３０の両方に第１〜第３の開封部１２５〜１２７、１３５〜１３７が形成されている。
【００４７】
図２に示すように、第１の開封部１２５（１３５）は、封止部１２０ｃ（１３０ｃ）の内周側において、第１の辺１２１（１３１）に沿って形成された封止部１２０ｃ（１３０ｃ）の内周縁１２０ｃ１（１３０ｃ１）に沿って、第２の辺１２２（１３２）から第４の辺１２４（１３４）に向かって開封するように導くものである。つまり、第１の開封部１２５（１３５）は、第１の辺１２１（１３１）に形成された封止部１２０ｃ（１３０ｃ）の内周縁１２０ｃ１（１３０ｃ１）に沿う非シール部（封止部１２０ｃ（１３０ｃ）の内周側）に開封線を形成するように方向付けられている。
【００４８】
第２の開封部１２６（１３６）は、封止部１２０ｃ（１３０ｃ）の内周側において、第２の辺１２２（１３２）に沿って形成された封止部１２０ｃ（１３０ｃ）の内周縁１２０ｃ２（１３０ｃ２）に沿って、第３の辺１２３（１３３）から第１の辺１２１（１３１）に向かって開封するように導くものである。つまり、第２の開封部１２６（１３６）は、第２の辺１２２（１３２）に形成された封止部１２０ｃ（１３０ｃ）の内周縁１２０ｃ２（１３０ｃ２）に沿う非シール部に開封線を形成するように方向付けられている。第２の開封部１２６（１３６）は、第３の辺１２３（１３３）において第２の辺１２２（１３２）側に形成されている。
【００４９】
第３の開封部１２７（１３７）は、封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って、第３の辺１２３（１３３）から第１の辺１２１（１３１）に向かって開封するように導くものである。つまり、第３の開封部１２７（１３７）は、第４の辺１２４（１３４）に形成された封止部１２０ｃ（１３０ｃ）の内周縁１２０ｃ４（１３０ｃ４）に沿う非シール部に開封線を形成するように方向付けられている。第３の開封部１２７（１３７）は、第３の辺１２３（１３３）において第４の辺１２４（１３４）側に形成されている。
【００５０】
第１〜第３の開封部１２５〜１２７（１３５〜１３７）の各々は、ノッチ１２５ａ〜１２７ａ（１３５ａ〜１３７ａ）を含む。第１の開封部１２５（１３５）のノッチ１２５ａ（１３５ａ）は、第２の辺１２２（１３２）に形成された封止部１２０ｃ（１３０ｃ）において、第１の辺１２１（１３１）近傍に、第２の辺１２２（１３２）から第４の辺１２４（１３４）に向けて切り込みが形成されている。第２の開封部１２６（１３６）のノッチ１２６ａ（１３６ａ）は、第３の辺１２３（１３３）に形成された封止部１２０ｃ（１３０ｃ）において、第２の辺１２２（１３２）近傍に、第３の辺１２３（１３３）から第１の辺１２１（１３１）に向けて切り込みが形成されている。第３の開封部１２７（１３７）のノッチ１２７ａ（１３７ａ）は、第３の辺１２３（１３３）に形成された封止部１２０ｃ（１３０ｃ）において、第４の辺１２４（１３４）近傍に、第３の辺１２３（１３３）から第１の辺１２１（１３１）に向けて切り込みが形成されている。
【００５１】
ノッチ１２５ａ〜１２７ａ（１３５ａ〜１３７ａ）は、例えば平面形状が三角形（Ｖ字状）の切り込みである。ノッチ１２５ａ〜１２７ａ（１３５ａ〜１３７ａ）の形状は特に限定されず、例えば直線状又はＵ字状の切り込みやくぼみなどであってもよい。
【００５２】
図２及び図３に示すように、本実施の形態のノッチ１２５ａ〜１２７ａ（１３５ａ〜１３７ａ）は、主面１２０ａ（１３０ａ）から裏面１２０ｂ（１３０ｂ）にかけて貫通するように形成されている。
【００５３】
第１〜第３の開封部１２５〜１２７（１３５〜１３７）は、開封する順序を表示する表示部１２５ｂ〜１２７ｂ（１３５ｂ〜１３７ｂ）をさらに含む。表示部１２５ｂ〜１２７ｂ（１３５ｂ〜１３７ｂ）は、包装体に印刷により形成され、使用者に開封する順序を指示するためのものである。この表示部１２５ｂ〜１２７ｂ（１３５ｂ〜１３７ｂ）は、封止部１２０ｃ（１３０ｃ）の内周側であって、ノッチ１２５ａ〜１２７ａ（１３５ａ〜１３７ａ）の近傍に形成されている。
【００５４】
第１の開封部１２５（１３５）の表示部１２５ｂ（１３５ｂ）は、最初に開封することを示すため、「１」の表示が形成されている。第２の開封部１２６（１３６）の表示部１２６ｂ（１３６ｂ）は、２番目に開封することを示すため、「２」の表示が形成されている。第３の開封部１２７（１３７）の表示部１２７ｂ（１３７ｂ）は、３番目に開封することを示すため、「３」の表示が形成されている。
【００５５】
なお、本実施の形態においては、第２の開封部１２６（１３６）の表示部１２６ｂ（１３６ｂ）に「３」の表示がされており、第３の開封部１２７（１３７）の表示部１２７ｂ（１３７ｂ）に「２」の表示がされていてもよい。
【００５６】
第１〜第３の開封部１２５〜１２７（１３５〜１３７）は、開封する方向を表示する表示部１２５ｃ〜１２７ｃ（１３５ｃ〜１３７ｃ）をさらに含む。表示部１２５ｃ〜１２７ｃ（１３５ｃ〜１３７ｃ）は、包装体に印刷により形成され、使用者に開封する方向を指示するためのものである。この表示部１２５ｃ〜１２７ｃ（１３５ｃ〜１３７ｃ）は、開封する順序を表示する表示部１２５ｂ〜１２７ｂ（１３５ｂ〜１３７ｂ）近傍に形成されている。
【００５７】
第１の開封部１２５（１３５）の表示部１２５ｃ（１３５ｃ）は、封止部１２０ｃ（１３０ｃ）の内周側において、第１の辺１２１（１３１）に沿って形成された封止部１２０ｃ（１３０ｃ）の内周縁１２０ｃ１（１３０ｃ１）に沿って、第２の辺１２２（１３２）から第４の辺１２４（１３４）に向けて矢印が表示されている。第２の開封部１２６（１３６）の表示部１２６ｃ（１３６ｃ）は、封止部１２０ｃ（１３０ｃ）の内周側において、第２の辺１２２（１３２）に沿って形成された封止部１２０ｃ（１３０ｃ）の内周縁１２０ｃ２（１３０ｃ２）に沿って、第３の辺１２３（１３３）から第１の辺１２１（１３１）に向けて矢印が表示されている。第３の開封部１２７（１３７）の表示部１２７ｃ（１３７ｃ）は、封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って、第３の辺１２３（１３３）から第１の辺１２１（１３１）に向けて矢印が表示されている。
【００５８】
ここで、第１及び第２の基材１２０、１３０を構成する材料について説明する。第１及び第２の基材１２０、１３０を構成する材料は、特に限定されないが、例えば、ポリビニルアルコール、ポリビニルハライド、ポリビニルエステル、ポリエステル、ポリプロピレン、ポリアミド、ポリスチレン、ポリスルホン、ポリアクリル酸エステル、ポリメタクリル酸エステル、ポリアクリロニトリル、セルロースなどを主成分材料としたフィルムもしくはシートを採用できる。
第１及び第２の基材１２０、１３０は、一層のみからなる単層構造体であっても、二層以上を有する複数層構造体であってもよい。また、第１及び第２の基材１２０、１３０は、上記の材料層を内面層として各種プラスチックフィルムまたは金属箔とを積層した積層構造体であってもよく、また、最外層に金属蒸着、塗料コーテング、印刷などを施した包装材料であってもよい。一例として、薬物を含有する粘着剤層を備える貼付剤１１０の場合、貼付剤１１０に含有される薬物の外気による汚染や酸化分解を防止するためには、第１及び第２の基材１２０、１３０として、ポリエステルフィルムや金属箔等のガス不透過性フィルムを積層したものを用いることが好ましい。さらに、第１及び第２の基材１２０、１３０の最内層（上記包装材料の最内層）にバリアー性の高いポリアクリロニトリル系共重合体を用いたものがより好ましい。
なお、第１の基材１２０と、第２の基材１３０とは、同じ材料であってもよく、異なる材料であってもよい。
【００５９】
第１及び第２の基材１２０、１３０の厚みは特に限定されないが、保存安定性や、開封しやすさの観点から、例えば１０μｍ以上２００μｍ以下であり、好ましくは２０μｍ以上１００μｍ以下である。
【００６０】
第１及び第２の基材１２０、１３０の大きさは特に限定されないが、開封操作上の観点、コスト及び生産性の観点などから、対向する辺の最短の距離は１０ｍｍ以上２５０ｍｍ以下であることが好ましい。なお、対向する辺の最短の距離とは、図２に示すように各辺が交差する頂点が丸みを有する場合には、丸みを有する部分を除き、第１の辺１２１（１３１）と第３の辺１２３（１３３）との距離（すなわち第２及び第４の辺１２２（１３２）、１２４（１３４）の長さ）を、及び、第２の辺１２２（１３２）と第４の辺１２４（１３４）との距離（すなわち第１及び第３の辺１２１（１３１）、１２３（１３３）を意味する。
【００６１】
続いて、図１〜図６を参照して、本実施の形態における貼付剤の包装構造１００ａの包装体から、貼付剤１１０を取り出す方法について説明する。
【００６２】
まず、図１〜図３に示すように、第１の開封部１２５（１３５）のノッチ１２５ａ（１３５ａ）を用いて、封止部１２０ｃ（１３０ｃ）の内周側において、第１の辺１２１（１３１）に沿って形成された封止部１２０ｃ（１３０ｃ）の内周縁１２０ｃ１（１３０ｃ１）に沿って開封する。このとき、表示部１２５ｃ（１３５ｃ）で示されている矢印の方向に従って、第１及び第２の基材１２０、１３０の一部を切り取ることになる。これにより、図４に示すように、第１の辺１２１（１３１）を含む封止部１２０ｃ（１３０ｃ）を分離することができるので、第１の辺１２１（１３１）側が開口した開口部１０１を形成することができる。この開口部１０１を形成すると、包装体の内部の空間は、密封された状態から大気に開放された状態になる。
【００６３】
次に、第２の開封部１２６（１３６）のノッチ１２６ａ（１３６ａ）を用いて、封止部１２０ｃ（１３０ｃ）の内周側において、第２の辺１２２（１３２）に沿って形成された封止部１２０ｃ（１３０ｃ）の内周縁１２０ｃ２（１３０ｃ２）に沿って第１及び第２の基材１２０、１３０の一部を切り取る。このとき、表示部１２６ｃ（１３６ｃ）で示されている矢印の方向に従って切り取る。これにより、図５に示すように、第２の辺１２２（１３２）を含む封止部１２０ｃ（１３０ｃ）を分離することができるので、第２の辺１２２（１３２）側が開口した開口部１０２を形成することができる。
【００６４】
次に、第３の開封部１２７（１３７）のノッチ１２７ａ（１３７ａ）を用いて、封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って第１及び第２の基材１２０、１３０の一部を切り取る。このとき、表示部１２７ｃ（１３７ｃ）で示されている矢印の方向に従って切り取る。これにより、図６に示すように、第４の辺１２４（１３４）を含む封止部１２０ｃ（１３０ｃ）を分離することができるので、第４の辺１２４（１３４）側が開口した開口部１０４を形成することができる。
【００６５】
以上の工程を実施することにより、第１及び第２の基材１２０、１３０の４つの辺のうち、第１、第２及び第４の辺１２１（１３１）、１２２（１３２）、１２４（１３４）に沿った方向が開封される。これにより、開口部１０１、１０２、１０４から指先を挿入して、貼付剤１１０の一部を掴んで取り出す。この時、仮に、貼付剤１１０の粘着剤層１１２から粘着剤等の成分が滲出して、滲出成分で第１及び第２の基材１２０、１３０の少なくとも一方の内面（裏面１２０ｂ、１３０ｂの少なくとも一方）に貼付剤１１０が付着していても、３つの辺に沿った方向に開封された開口部１０１、１０２、１０４により、包装体から貼付剤１１０を容易に取り出すことができる。
【００６６】
また、本実施の形態では、第１〜第３の開封部１２５〜１２７（１３５〜１３７）は、開封する順序を表示する表示部１２５ｂ〜１２７ｂ（１３５ｂ〜１３７ｂ）を含んでいる。このため、表示部１２５ｂ〜１２７ｂ（１３５ｂ〜１３７ｂ）に記載の順序で開封することで、３つの辺に沿った方向に容易に開封することができる。
【００６７】
なお、本実施の形態では、第２の開封部１２６（１３６）により第２の辺１２２（１３２）に沿った方向に開封した後、第３の開封部１２７（１３７）により第４の辺１２４（１３４）に沿った方向に開封しているが、この順序は逆でもよい。つまり、本実施の形態では、最初に第１の開封部１２５（１３５）を開封すれば、第２及び第３の開封部１２６（１３６）、１２７（１３７）はいずれから開封しても、３方が開封される。
【００６８】
また、本実施の形態では、第１〜第３の開封部１２５〜１２７（１３５〜１３７）により、４つの辺のうち、３つの辺に沿った方向を開封しているが、４つの辺に沿った方向に開封してもよい（さらに第３の辺１２３（１３３）に沿った方向に開封してもよい）。この場合、全ての辺に沿った方向に開口部を設けることができるので、より容易に貼付剤１１０を取り出すことができる。
【００６９】
（実施の形態２）
図７を参照して、本実施の形態における貼付剤の包装構造１００ｂについて説明する。図７に示すように、本発明の実施の形態２の貼付剤の包装構造１００ｂは、図２に示す実施の形態１の包装構造１００ａと基本的には同様であるが、第３の開封部１２７（１３７）が異なる。
【００７０】
具体的には、本実施の形態の第３の開封部１２７（１３７）は、第４の辺１２４（１３４）に形成されたノッチ１２７ａ（１３７ａ）を含んでおり、封止部１２０ｃ（１３０ｃ）の内周側において、第３の辺１２３（１３３）に沿って形成された封止部１２０ｃ（１３０ｃ）の内周縁１２０ｃ３（１３０ｃ３）に沿って、第４の辺１２４（１３４）から第２の辺１２２（１３２）に向かって開封するように導くものである。
【００７１】
第４の辺１２４（１３４）に形成された第３の開封部１２７（１３７）のノッチ１２７ａ（１３７ａ）は、第４の辺１２４（１３４）に形成された封止部１２０ｃ（１３０ｃ）において、第３の辺１２３（１３３）近傍に、第４の辺１２４から第２の辺１２２（１３２）に向けて切り込みが形成されている。
【００７２】
また、第３の開封部１２７（１３７）は、封止部１２０ｃ（１３０ｃ）の内周側であって、ノッチ１２７ａ（１３７ａ）の近傍に形成された、開封順序を表示する表示部１２７ｂ（１３７ｂ）をさらに含んでいる。
【００７３】
また、第３の開封部１２７（１３７）は、封止部１２０ｃ（１３０ｃ）の内周側において、第３の辺１２３（１３３）に沿って形成された封止部１２０ｃ（１３０ｃ）の内周縁１２０ｃ３（１３０ｃ３）に沿って、第４の辺１２４（１３４）から第２の辺１２２（１３２）に向けて矢印が表示されている表示部１２７ｃ（１３７ｃ）をさらに含んでいる。
【００７４】
本実施の形態では、少なくとも３辺（第２〜第４の辺１２２（１３２）〜１２４（１３４）のそれぞれに開封部（第１〜第３の開封部１２５（１３５）〜１２７（１３７））のノッチ１２５ａ（１３５ａ）〜１２７ａ（１３７ａ）が形成され、開封部１２５（１３５）〜１２７（１３７）の開封方向における対向する辺近傍に他の開封部のノッチを設けていない。
【００７５】
本実施の形態の貼付剤の包装構造１００ｂの包装体から貼付剤１１０を取り出す方法は、基本的には実施の形態１と同様であるが、第３の開封部１２７（１３７）により包装体を開封する方向が異なる。
【００７６】
具体的には、まず、実施の形態１と同様に、第１及び第２の開封部１２５（１３５）、１２６（１３６）により、第１及び第２の辺１２１（１３１）、１２２（１３２）に沿った方向に、この順で開封する。次に、第３の開封部１２７（１３７）により、封止部１２０ｃ（１３０ｃ）の内周側において、第３の辺１２３（１３３）に沿って形成された封止部１２０ｃ（１３０ｃ）の内周縁１２０ｃ３（１３０ｃ３）に沿って開封する。これにより、第１及び第２の基材１２０、１３０の４つの辺のうち、第１〜第３の辺１２１〜１２３（１３１〜１３３）に沿った方向に開口部を形成することができる。したがって、３辺に沿った方向の開口部から貼付剤１１０を容易に取り出すことができる。
【００７７】
本実施の形態の貼付剤の包装構造１００ｂによれば、包装体から貼付剤１１０を取り出す際に、第１の開封部１２５（１３５）、第２の開封部１２６（１３６）及び第３の開封部１２７（１３７）をこの順で開封する場合、切り取ろうとする辺（その辺を含む封止部の内側の非シール部）は常に右側になる。このため、右利きの使用者は、左手で包装体を保持し、切り取ろうとする辺を右手でつまんで、つまんだ側を右手で引っ張って開封することができる。包装体を回転させることで、利き手である右手のみで包装体の少なくとも３方を開封できるので、開封時にストレスを感じることを低減できる。
【００７８】
（実施の形態３）
図８を参照して、本実施の形態における貼付剤の包装構造１００ｃについて説明する。本実施の形態における貼付剤の包装構造１００ｃは、基本的には実施の形態２の包装構造１００ｂと同様であるが、第１〜第３の開封部１２５（１３５）〜１２７（１３７）が弱め線１２５ｄ（１３５ｄ）〜１２７ｄ（１３７ｄ）をさらに含む点において異なる。
【００７９】
具体的には、第１の開封部１２５（１３５）の弱め線１２５ｄ（１３５ｄ）は、ノッチ１２５ａ（１３５ａ）の先端から第４の辺１２４（１３４）に向けて直線状に形成されている。第２の開封部１２６（１３６）の弱め線１２６ｄ（１３６ｄ）は、ノッチ１２６ａ（１３６ａ）の先端から第１の辺１２１（１３１）に向けて直線状に形成されている。第３の開封部１２７（１３７）の弱め線１２７ｄ（１３７ｄ）は、ノッチ１２７ａ（１３７ａ）の先端から第２の辺１２２（１３２）に向けて直線状に形成されている。
【００８０】
本実施の形態では、弱め線１２５ｄ（１３５ｄ）〜１２７ｄ（１３７ｄ）は、開封する方向を示す表示部１２５ｃ（１３５ｃ）〜１２７ｃ（１３７ｃ）に沿って形成されると共に、表示部１２５ｃ（１３５ｃ）〜１２７ｃ（１３７ｃ）と、封止部１２０ｃ（１３０ｃ）の内周縁１２０ｃ１（１３０ｃ１）〜１２０ｃ４（１３０ｃ４）との間に形成されている。
【００８１】
ここで、弱め線とは、他の領域よりも接続が弱い線を意味し、例えばミシン目などのように、分離しやすいように加工されている線である。弱め線は、例えばミシン目、ハーフカット、カットテープ等による方法により形成される。
【００８２】
なお、開封する順序を示す表示部１２５ｂ（１３５ｂ）〜１２７ｂ（１３７ｂ）、及び開封する方向を示す表示部１２５ｃ（１３５ｃ）〜１２７ｃ（１３７ｃ）の少なくとも一方は省略されてもよい。
【００８３】
本実施の形態における貼付剤の包装構造１００ｃの包装体から貼付剤１１０を取り出す方法は、基本的には実施の形態２と同様であるが、弱め線１２５ｄ（１３５ｄ）〜１２７ｄ（１３７ｄ）で切断する点において異なる。
【００８４】
以上説明したように、本実施の形態における貼付剤の包装構造１００ｃにおいて、第１〜第３の開封部１２５（１３５）〜１２７（１３７）は、弱め線１２５ｄ（１３５ｄ）〜１２７ｄ（１３７ｄ）を含んでいる。弱め線１２５ｄ（１３５ｄ）〜１２７ｄ（１３７ｄ）にしたがって開封することにより、第１〜第３の開封部１２５（１３５）〜１２７（１３７）の開封方向を容易に導くことができるので、容易に包装体を開封することができる。したがって、貼付剤１１０を包装体から容易に取り出すことができる。
【００８５】
なお、本実施の形態の包装構造１００ｃの第１〜第３の開封部１２５（１３５）〜１２７（１３７）は、弱め線１２５ｄ（１３５ｄ）〜１２７ｄ（１３７ｄ）を含んでいるが、ノッチ１２５ａ（１３５ａ）〜１２７ａ（１３７ａ）から開封できるので、本発明の包装構造は、弱め線１２５ｄ（１３５ｄ）〜１２７ｄ（１３７ｄ）を必ずしも必要としない。弱め線を省略可能な点において、上記特許文献１とは異なる。
【００８６】
（実施の形態４）
図９を参照して、本発明の実施の形態４の貼付剤の包装構造１００ｄについて説明する。本実施の形態の貼付剤の包装構造１００ｄは、基本的には実施の形態２の包装構造１００ｂと同様であるが、第１及び第２の基材１２０、１３０の少なくとも一方が第４の開封部１２８（１３８）をさらに有する点において異なる。
【００８７】
具体的には、第４の開封部１２８（１３８）は、第１の辺１２１（１３１）から第３の辺１２３（１３３）に向けて、封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って開封するように導くものである。
【００８８】
第４の開封部１２８（１３８）は、ノッチ１２８ａ（１３８ａ）と、表示部１２８ｃ（１３８ｃ）とを含む。第１の辺１２１（１３１）に形成されたノッチ１２８ａ（１３８ａ）は、第１の辺１２１（１３１）から第３の辺１２３（１３３）に向けて切り込みが形成されている。表示部１２８ｃ（１３８ｃ）は、封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って、第１の辺１２１（１３１）から第３の辺１２３（１３３）に向けて矢印が表示されている。
【００８９】
本実施の形態の第１〜第４の開封部１２５〜１２８（１３５〜１３８）は、開封する順序を表示する表示部は省略されている。
【００９０】
本実施の形態における包装構造１００ｄから貼付剤１１０を取り出す方法は、基本的には実施の形態２と同様であるが、第１〜第４の開封部１２５（１３５）〜１２８（１３８）のいずれを最初に開封してもよい点において異なる。
【００９１】
具体的には、まず、第１〜第４の開封部１２５（１３５）〜１２８（１３８）のいずれかをその表示部１２５ｃ（１３５ｃ）〜１２８ｃ（１３８ｃ）に表示された方向に沿って開封する。次に、第１〜第４の開封部１２５（１３５）〜１２８（１３８）のうち、右回り（時計周り）に位置する開封部を、順次表示部に表示された方向に沿って開封する。このとき、第１〜第４の開封部１２５（１３５）〜１２８（１３８）のうち、３つ以上の開封部を開封する。これにより、包装構造１００ｄのうち、少なくとも３辺に沿った方向が開封される。このため、包装体の内部に収容された貼付剤１１０を容易に取り出すことができる。
【００９２】
以上説明したように、本実施の形態の貼付剤の包装構造１００ｄは、第１及び第２の基材１２０、１３０の少なくとも一方は、第１〜第４の辺１２１（１３１）〜１２４（１３４）の全てに開封部１２５（１３５）〜１２８（１３８）のノッチ１２５ａ（１３５ａ）〜１２８ａ（１３８ａ）が形成され、開封部１２５（１３５）〜１２８（１３８）の開封方向における対向する辺近傍に他の開封部のノッチを設けていない。このため、最初に開封する開封部は特に制限されず、開封する順序を表示する表示部が省略されていても、包装構造１００ｄのうち、少なくとも３辺に沿った方向に容易に開封することができる。したがって、包装体から貼付剤１１０を容易に取り出すことができる。
【００９３】
ここで、実施の形態２〜４の貼付剤の包装構造１００ｂ〜１００ｄは、片側の面（主面１２０ａ、１３０ａ及び裏面１２０ｂ、１３０ｂの一方）のみに表示部が形成された場合を想定して、右利きの使用者に好適に用いられる態様として説明した。実施の形態２〜４の貼付剤の包装構造１００ｂ〜１００ｄにおいて、主面１２０ａ、１３０ａ及び裏面１２０ｂ、１３０ｂを鏡像にして両方の面に表示部を形成した場合には、左利きの使用者にも適用することができる。
【００９４】
（実施の形態５）
図１０を参照して、本発明の実施の形態５の貼付剤の包装構造１００ｅについて説明する。本実施の形態の貼付剤の包装構造１００ｅは、基本的には実施の形態４の包装構造１００ｄと同様であるが、第５〜第８の開封部をさらに有している点において異なる。
【００９５】
具体的には、本実施の形態の第５〜第８の開封部は、ノッチ２２５ａ（２３５ａ）〜２２８ａ（２３８ａ）である。
【００９６】
第２の辺１２２（１３２）において、第１の開封部のノッチ１２５ａ（１３５ａ）は第１の辺１２１（１３１）側に形成され、第５の開封部のノッチ２２５ａ（２３５ａ）は第３の辺１２３（１３３）側に形成されている。つまり、第５の開封部のノッチ２２５ａ（２３５ａ）は、第２の辺１２２（１３２）に形成され、かつ封止部１２０ｃ（１３０ｃ）の内周側において、第３の辺１２３（１３３）に沿って形成された封止部１２０ｃ（１３０ｃ）の内周縁１２０ｃ３（１３０ｃ３）に沿って開封するように導くものである。
【００９７】
第３の辺１２３（１３３）において、第２の開封部のノッチ１２６ａ（１３６ａ）は第２の辺１２２（１３２）側に形成され、第６の開封部のノッチ２２６ａ（２３６ａ）は第４の辺１２４（１３４）側に形成されている。つまり、第６の開封部のノッチ２２６ａ（２３６ａ）は、第３の辺１２３（１３３）に形成され、かつ封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って開封するように導くものである。
【００９８】
第４の辺１２４（１３４）において、第３の開封部のノッチ１２７ａ（１３７ａ）は第３の辺１２３（１３３）側に形成され、第７の開封部のノッチ２２７ａ（２３７ａ）は第１の辺１２１（１３１）側に形成されている。つまり、第７の開封部のノッチ２２７ａ（２３７ａ）は、第４の辺１２４（１３４）に形成され、かつ封止部１２０ｃ（１３０ｃ）の内周側において、第１の辺１２１（１３１）に沿って形成された封止部１２０ｃ（１３０ｃ）の内周縁１２０ｃ１（１３０ｃ１）に沿って開封するように導くものである。
【００９９】
第１の辺１２１（１３１）において、第４の開封部のノッチ１２８ａ（１３８ａ）は第４の辺１２４（１３４）側に形成され、第８の開封部のノッチ２２８ａ（２３８ａ）は第２の辺１２２（１３２）側に形成されている。つまり、第８の開封部のノッチ２２８ａ（２３８ａ）は、第１の辺１２１（１３１）に形成され、かつ封止部１２０ｃ（１３０ｃ）の内周側において、第２の辺１２２（１３２）に沿って形成された封止部１２０ｃ（１３０ｃ）の内周縁１２０ｃ２（１３０ｃ２）に沿って開封するように導くものである。
【０１００】
本実施の形態では、第１の開封部のノッチ１２５ａ（１３５ａ）と、第７の開封部のノッチ２２７ａ（２３７ａ）とは、対向している。第２の開封部のノッチ１２６ａ（１３６ａ）と、第８の開封部のノッチ２２８ａ（２３８ａ）とは、対向している。第３の開封部のノッチ１２７ａ（１３７ａ）と、第５の開封部のノッチ２２５ａ（２３５ａ）とは、対向している。第４の開封部のノッチ１２８ａ（１３８ａ）と、第６の開封部のノッチ２２６ａ（２３６ａ）とは、対向している。
【０１０１】
続いて、本実施の形態における貼付剤の包装構造１００ｅから貼付剤１１０を取り出す方法について説明する。貼付剤１１０を取り出す方法は、大別すると、２通りある。１つ目の方法は、実施の形態４と同様であり、第１〜第４の開封部のノッチ１２５ａ（１３５ａ）〜１２８ａ（１３８ａ）の少なくとも３つを用いて包装体を開封する。
【０１０２】
２つ目の方法は、第５〜第８の開封部のノッチ２２５ａ（２３５ａ）〜２２８ａ（２３８ａ）の少なくとも３つを用いて包装体を開封する。具体的には、まず、第５〜第８の開封部のノッチ２２５ａ（２３５ａ）〜２２８ａ（２３８ａ）のいずれかを開封する。次に、第５〜第８の開封部のノッチ２２５ａ（２３５ａ）〜２２８ａ（２３８ａ）のうち、左回り（反時計周り）に位置する開封部を、順次開封する。このとき、第５〜第８の開封部のノッチ１２５ａ（１３５ａ）〜１２８ａ（１３８ａ）のうち、３つ以上の開封部を開封する。これにより、包装構造のうち、少なくとも３辺に沿った方向が開封される。
【０１０３】
以上説明したように、本実施の形態の貼付剤の包装構造１００ｅは、第１〜第４の辺１２１（１３１）〜１２４（１３４）に２つずつ形成された第１〜第８の開封部を備えている。このため、右利きの使用者は、第１〜第４の開封部を右回り（時計周り）に順次開封することで、包装体の少なくとも３方を開封できる。左利きの使用者は、第５〜第８の開封部を左周り（反時計周り）に順次開封することで、包装体の少なくとも３方を開封できる。したがって、使用者の特性によらず、包装体の少なくとも３辺に沿った方向に容易に開封できるので、容易に貼付剤１１０を取り出すことができる。
【０１０４】
（実施の形態６）
図１１を参照して、本発明の実施の形態６の貼付剤の包装構造１００ｆについて説明する。本実施の形態の包装構造１００ｆは、基本的には実施の形態５の包装構造１００ｅと同様であるが、第１〜第８の開封部１２５（１３５）〜１２８（１３８）、２２５（２３５）〜２２８（２３８）が、開封する方向を表示する表示部１２５ｃ（１３５ｃ）〜１２８ｃ（１３８ｃ）、２２５ｃ（２３５ｃ）〜２２８ｃ（２３８ｃ）を含む点において異なる。
【０１０５】
第１〜第４の開封部１２５（１３５）〜１２８（１３８）の表示部１２５ｃ（１３５ｃ）〜１２８ｃ（１３８ｃ）は、実施の形態４とほぼ同様であるので、その説明を繰り返さない。第５〜第８の表示部２２５ｃ（２３５ｃ）〜２２８ｃ（２３８ｃ）のそれぞれは、第３、第４、第１及び第２の開封部１２７（１３７）、１２８（１３８）、１２５（１３５）、１２６（１３６）の表示部１２７ｃ（１３７ｃ）、１２８ｃ（１３８ｃ）、１２５ｃ（１３５ｃ）、１２６ｃ（１３６ｃ）と反対の方向を表示する。
【０１０６】
具体的には、第５の開封部２２５の表示部２２５ｃは、封止部１２０ｃ（１３０ｃ）の内周側において、第３の辺１２３（１３３）に形成された封止部１２０ｃ（１３０ｃ）の内周縁１２０ｃ３（１３０ｃ３）に沿って、第２の辺１２２（１３２）から第４の辺１２４（１３４）に向けて矢印が表示されている。第６の開封部２２６の表示部２２６ｃは、封止部１２０ｃ（１３０ｃ）の内周側において、第４の辺１２４（１３４）に沿って形成された封止部１２０ｃ（１３０ｃ）の内周縁１２０ｃ４（１３０ｃ４）に沿って、第３の辺１２３（１３３）から第１の辺１２１（１３１）に向けて矢印が表示されている。第７の開封部２２７の表示部２２７ｃは、封止部１２０ｃ（１３０ｃ）の内周側において、第１の辺１２１（１３１）に沿って形成された封止部１２０ｃ（１３０ｃ）の内周縁１２０ｃ１（１３０ｃ１）に沿って、第４の辺１２４（１３４）から第２の辺１２２（１３２）に向けて矢印が表示されている。第８の開封部２２８の表示部２２８ｃは、封止部１２０ｃ（１３０ｃ）の内周側において、第２の辺１２２（１３２）に沿って形成された封止部１２０ｃ（１３０ｃ）の内周縁１２０ｃ２（１３０ｃ２）に沿って、第１の辺１２１（１３１）から第３の辺１２３（１３３）に向けて矢印が表示されている。
【０１０７】
本実施の形態の貼付剤の包装構造１００ｆから貼付剤を取り出す方法は、実施の形態５と同様であるので、その説明を繰り返さない。
【０１０８】
以上説明したように、本実施の形態の貼付剤の包装構造１００ｆにおいて、第１〜第８の開封部１２５（１３５）〜１２８（１３８）、２２５（２３５）〜２２８（２３８）は、開封する方向を表示する表示部１２５ｃ（１３５ｃ）〜１２８ｃ（１３８ｃ）、２２５ｃ（２３５ｃ）〜２２８ｃ（２３８ｃ）を含む。これにより、使用者の特性によらず、包装体の３辺に沿った方向により容易に開封できるので、より容易に貼付剤１１０を取り出すことができる。
【０１０９】
ここで、本実施の形態の貼付剤の包装構造１００ｆにおいて、主面１２０ａ、１３０ａ及び裏面１２０ｂ、１３０ｂの一方の面のみに表示部１２５ｃ（１３５ｃ）〜１２８ｃ（１３８ｃ）、２２５ｃ（２３５ｃ）〜２２８ｃ（２３８ｃ）が形成されていればよい。本実施の形態の貼付剤の包装構造１００ｆは、実施の形態２〜４の貼付剤の包装構造１００ｂ〜１００ｄと異なり、片側の面のみに表示部を形成した場合であっても、使用者の特性によらず、より容易に貼付剤１１０を取り出すことができる点で有利である。
【０１１０】
以上のように本発明の実施の形態について説明を行なったが、各実施の形態の特徴を適宜組み合わせることも当初から予定している。また、今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【０１１１】
１００ａ〜１００ｆ  包装構造、１０１，１０２，１０４  開口部、１１０  貼付剤、１１１  支持体、１１２  粘着剤層、１１２ａ  粘着面、１１３  剥離ライナー、１２０  第１の基材、１２０ａ，１３０ａ  主面、１２０ｂ，１３０ｂ  裏面、１２０ｃ，１３０ｃ  封止部、１２０ｃ１〜１２０ｃ４，１３０ｃ１〜１３０ｃ４  内周縁、１２１，１３１  第１の辺、１２２，１３２  第２の辺、１２３，１３３  第３の辺、１２４，１３４  第４の辺、１２５，１３５  第１の開封部、１２５ａ，１２６ａ，１２７ａ，１２８ａ，１３５ａ，１３６ａ，１３７ａ，１３８ａ，２２５ａ，２２６ａ，２２７ａ，２２８ａ，２３５ａ，２３６ａ，２３７ａ，２３８ａ  ノッチ、１２５ｂ，１２５ｃ，１２６ｂ，１２６ｃ，１２７ｂ，１２７ｃ，１２８ｃ，１３５ｂ，１３５ｃ，１３６ｂ，１３６ｃ，１３７ｂ，１３７ｃ，１３８ｃ，２２５ｃ，２２６ｃ，２２７ｃ，２２８ｃ，２３５ｃ，２３６ｃ，２３７ｃ，２３８ｃ  表示部、１２５ｄ，１２６ｄ，１２７ｄ，１３５ｄ，１３６ｄ，１３７ｄ  弱め線、１２６，１３６  第２の開封部、１２７，１３７  第３の開封部、１２８，１３８  第４の開封部、１３０  第２の基材、２２５，２３５  第５の開封部、２２６，２３６  第６の開封部、２２７，２３７  第７の開封部、２２８，２３８  第８の開封部。
【図１】
2013022060.tif 000003
【図２】
2013022060.tif 000004
【図３】
2013022060.tif 000005
【図４】
2013022060.tif 000006
【図５】
2013022060.tif 000007
【図６】
2013022060.tif 000008
【図７】
2013022060.tif 000009
【図８】
2013022060.tif 000010
【図９】
2013022060.tif 000011
【図１０】
2013022060.tif 000012
【図１１】
2013022060.tif 000013